(57)【特許請求の範囲】
【請求項１】
演算を行うＣＰＵユニットを少なくとも１つ備えた第１の論理系ユニット部、データの読み込み・書き込みを行うハードディスクユニットを少なくとも１つ備えた第２の論理系ユニット部、及びデータのインプット・アウトプットを制御するＩＯユニットを少なくとも１つ備えた第３の論理系ユニット部を含む少なくとも３つの論理系ユニット部を有する論理系ユニット群と；少なくとも１つの冷却ファンユニットを備え、各論理系ユニット部の上流側及び下流側の少なくとも一方に設けられて各論理系ユニット部に対する冷却をそれぞれ行う冷却ファンユニット部を複数個有する冷却系ユニット群とが備えられ；前記少なくとも３つの論理系ユニット部のうち少なくとも１つは２個のユニットが設けられて二重化されており、前記論理系ユニット群及び前記冷却系ユニット群に属するすべてのユニットは匡体内に挿抜可能に配置されている無停止型コンピュータにおいて、
前記冷却系ユニット群の複数個の冷却ファンユニット部のうち、少なくとも１つの冷却ファンユニット部は、該冷却ファンユニット部に属するユニットの個数が、その冷却対象である論理系ユニット部に属するユニットの個数よりも１個多く、前記第１の論理系ユニット部の冷却を行う第１の冷却ファンユニット部及び前記第２の論理系ユニット部の冷却を行う第２の冷却ファンユニット部を含んでおり、かつ前記第１の冷却ファンユニット部は前記第１の論理系ユニット部の下流側に設けられて該第１の論理系ユニットを通過する冷却風を吸引し、前記第２の冷却ファンユニット部は前記第２の論理系ユニット部の下流側に設けられて該第２の論理系ユニットを通過する冷却風を吸引し、
前記冷却系ユニット群の冷却ファンユニット部に備えられたすべての冷却ファンユニットのうち、少なくとも２つのユニットは、形状・寸法・出力がすべて同一であって互いに配置位置を交換可能であるように構成されていることを特徴とする無停止型コンピュータ。
【請求項２】
演算を行うＣＰＵユニットを少なくとも１つ備えた第１の論理系ユニット部、データの読み込み・書き込みを行うハードディスクユニットを少なくとも１つ備えた第２の論理系ユニット部、及びデータのインプット・アウトプットを制御するＩＯユニットを少なくとも１つ備えた第３の論理系ユニット部を含む少なくとも３つの論理系ユニット部を有する論理系ユニット群と；少なくとも１つの冷却ファンユニットを備え、各論理系ユニット部の上流側及び下流側の少なくとも一方に設けられて各論理系ユニット部に対する冷却をそれぞれ行う冷却ファンユニット部を複数個有する冷却系ユニット群とが備えられ；前記少なくとも３つの論理系ユニット部のうち少なくとも１つは２個のユニットが設けられて二重化されており、前記論理系ユニット群及び前記冷却系ユニット群に属するすべてのユニットは匡体内に挿抜可能に配置されている無停止型コンピュータにおいて、
前記冷却系ユニット群の複数個の冷却ファンユニット部のうち、少なくとも１つの冷却ファンユニット部は、該冷却ファンユニット部に属するユニットの個数が、その冷却対象である論理系ユニット部に属するユニットの個数よりも１個多く、前記第１の論理系ユニット部の冷却を行う第１の冷却ファンユニット部及び前記第２の論理系ユニット部の冷却を行う第２の冷却ファンユニット部を含んでおり、かつ前記第１の冷却ファンユニット部は前記第１の論理系ユニット部の下流側に設けられて該第１の論理系ユニットを通過する冷却風を吸引し、前記第２の冷却ファンユニット部は前記第２の論理系ユニット部の下流側に設けられて該第２の論理系ユニットを通過する冷却風を吸引し、
前記冷却系ユニット群の複数個の冷却ファンユニット部のうち、少なくとも１つの冷却ファンユニット部は、その冷却ファンユニット部に備えられたすべての冷却ファンユニットが、活線挿抜可能な構造となっていることを特徴とする無停止型コンピュータ。
【請求項３】
請求項１又は２記載の無停止型コンピュータにおいて、
前記少なくとも１つの冷却ファンユニット部に属するユニットの個数をＮ＋１個、その冷却対象である論理系ユニット部に属するユニットの個数をＮ個、その冷却対象である論理系ユニット部全体の冷却に必要な冷却風量を１００％とするとき、前記少なくとも１つの冷却ファンユニット部に属するＮ＋１個の冷却ファンユニットのそれぞれの出力Ｗは、
Ｗ≧１００／Ｎ［％］
となっていることを特徴とする無停止型コンピュータ。
【請求項４】
請求項１又は２記載の無停止型コンピュータにおいて、
冷却ファンユニットに異常が発生したことを検出する第１の検出手段と、その検出手段からの検出結果に基づき、異常が発生した冷却ファンユニットが属する冷却ファンユニット部の残りの冷却ファンユニットの回転数を制御する第１の制御手段とをさらに有することを特徴とする無停止型コンピュータ。
【請求項５】
請求項１又は２記載の無停止型コンピュータにおいて、
冷却ファンユニットに停止を指示する停止指示手段と、この停止指示に応じて停止した冷却ファンユニットを検出する第２の検出手段と、停止した冷却ファンユニットが属する冷却ファンユニット部の残りの冷却ファンユニットの回転数を制御する第２の制御手段とをさらに有することを特徴とする無停止型コンピュータ。
【請求項６】
請求項５記載の無停止型コンピュータにおいて、
前記活線挿抜可能な構造となっている冷却ファンユニットのそれぞれは、該冷却ファンユニットへの通常時の給電を行う第１の給電回路と、この第１の給電回路と別に設けられた第２の給電回路と、該冷却ファンユニットの前記匡体への挿入時に前記第２の給電回路を開いて突入電流を少しずつ流すとともに、該突入電流をほぼ流し終えた後に前記第２の給電回路を閉じ前記第１の給電回路を開いて定常的な給電を行う電源受電回路とをさらに有することを特徴とする無停止型コンピュータ。
【請求項７】
請求項１又は２記載の無停止型コンピュータにおいて、
前記少なくとも１つの冷却ファンユニット部は、各冷却ファンユニット部に属するいずれか１つの冷却ファンが抜かれたときにその収納されていた位置を密閉して冷却流の漏れを防止する漏れ防止手段をそれぞれ有することを特徴とする無停止型コンピュータ。
【請求項８】
請求項７記載の無停止型コンピュータにおいて、
前記冷却ファンユニット部は、該冷却ファンユニット部の外周部を構成するとともに冷却ファンユニットの個数と同数に区分されて冷却ファンを収納する枠体をさらに有し、前記漏れ防止手段は、前記枠体に設けられ、冷却ファンユニットの挿抜方向に伸縮自在のじゃばらであることを特徴とする無停止型コンピュータ。
【請求項９】
請求項１又は２記載の無停止型コンピュータにおいて、
前記筐体の正面における匡体高さ方向中央近傍で互いに上・下に分けて設けられた上側の第１の吸気口及び下側の第２の吸気口と；前記匡体の上面正面側、底面、上面背面側にそれぞれ設けられた第１の排気口、第２の排気口及び第３の排気口とをさらに有し；かつ、前記匡体内正面側における前記第１の吸気口の下方でなく前記第１の排気口の下方に位置する第１の領域、前記匡体内正面側における前記第２の吸気口の上方でなく前記第２の排気口の上方に位置する第２の領域、及び前記匡体内背面側における前記第３の排気口の下方に位置し仕切壁によって下端近傍以外を前記第１及び第２の領域と仕切られた第３の領域には、少なくとも１つの論理系ユニット部及びこの１つの論理系ユニット部を冷却する冷却ファンユニット部がそれぞれ配置されていることを特徴とする無停止型コンピュータ。
【発明の詳細な説明】
【０００１】
【産業上の利用分野】
本発明は、ＩＣチップ・ＬＳＩパッケージ等の発熱体を備えた基板、ハードディスク、及び電源等を備えたコンピュータの冷却構造に係わり、特に、冷却能力を向上することによって半永久的な継続運転を可能とする無停止型コンピュータに関する。
【０００２】
【従来の技術】
通常、この種のコンピュータの構造としては、ＣＰＵ、ＰＳ（パワーサプライ：電源）、ＨＤＤ（ハードディスクドライブ）、ＩＯ（インプット及びアウトプット）等の論理系ユニットと、冷却ファン等を備えた冷却系ユニットとが挿抜可能に匡体内に配置されており、論理系ユニットの前・後に冷却系ユニットを設け冷却風を導くように構成されている。また中には、論理系ユニットの少なくとも一部が二重に設けられているものもある。このようなユニット冷却構造に係わる公知技術として、例えば、以下のものがある。
▲１▼特開平４−１４８９６号公報
この公知技術は、匡体ラック内に配設された各ユニットの温度上昇に対応して、吸気吸入口から導入される外気の導入量を調整する外気導入制御手段を設けることにより、効率良く冷却風を導入し空冷効果を向上させるものである。
【０００３】
▲２▼特開昭６２−５１２９８号公報
この公知技術は、通風路内に吸気・排気を仕切る仕切り板を設け、この仕切り板をペルチェ素子で構成し、その発熱面・吸熱面が排気・吸気と接するようにすることにより、冷却能力の向上を図るものである。
【０００４】
▲３▼特開平２−１８７９８４号公報
この公知技術は、ユニットタイプの磁気ディスクにおいて、ユニット正面の吸込口から吸い込み、背面の排気口から吐き出す構造とし、ドライブユニットの前面・後面に対向するキャビネット部分に吸気口・排気口を設けないようにすることにより、騒音の低下を図るものである。
【０００５】
▲４▼特開平３−２３９３９７号公報
この公知技術は、キャビネット正面に吸気口を、底面に排気口を設けることにより、冷却性能を劣化させることなく、キャビネットの背面を壁に密着させて設置でき、かつキャビネット上面に物が置けるようにするものである。
【０００６】
▲５▼特開平２−７６２９９号公報
この公知技術は、ユニット内パッケージの冷却方法として、ＰＣＢラックに垂直に配設した複数個のＰＣＢの両端にＰＣＢガイドレールと空気口とを設け、空気口の排気側に熱感知の常閉型シャッタを設けることにより、ＰＣＢを効果的に冷却するものである。
【０００７】
▲６▼特開平５−２６７８７４号公報
この公知技術は、高性能コンピュータにおいて、基板と独立に設けたチャンバの一面に冷却ファンを他面に冷却用のスリット孔を設けることにより、スリット孔からの冷却風によるチップの冷却を向上させるものである。
【０００８】
【発明が解決しようとする課題】
しかしながら、上記公知技術には以下の課題が存在する。
（１）冷却ファン異常発生時等のためのシステム構造
上記公知技術▲１▼〜▲６▼はいずれも、一部の冷却ファンに異常（故障等）が発生した場合について特に配慮されておらず、よって異常時には冷却風が不足してコンピュータ温度が上昇し、ついには継続運転が不可能となって放熱のため停止させなくてはならなくなる可能性が生じていた。一部の冷却ファンをメンテナンスのために停止させる時も同様であった。
また、異常発生時やメンテナンス時に冷却ファンを交換する場合も、一旦電源をＯＦＦにしなければならないことから、コンピュータを停止させなくてはならなかった。
【０００９】
（２）匡体内の空冷効果向上のための流れ構造
上記公知技術▲１▼においては、匡体底部の吸気口の他にユニット個数に対応した複数個の外気導入手段を各ユニット近傍に設けることで、全ユニットに低温で新鮮な外気を供給するようにしているが、下部吸気口から導入される冷却風及び各外気導入手段からの冷却風の向きがすべて同方向（下から上向き）であるので冷却風同士の干渉が生じ、空冷向上効果が不十分であった。
また公知技術▲２▼においては、匡体底部に設けた１つの大吸気口から冷却風を上昇させて匡体中央部の排気口から排出する冷却風流れに関し、匡体内部から床面への発火物落下を防止するために、床面上又は大吸気口にハニカム等を設ける必要があるので、圧力損失が増大していた。そしてこれを克服しようとすると、ファンを大出力とする必要が生じ、騒音の増大を招いていた。
さらに公知技術▲４▼においては、上方のユニットほど吸気口より遠くなって冷却流が高温となることや、構造上上方ほど風量不足となることから、空冷効果が悪くなっていた。
【００１０】
（３）ユニット内の空冷向上・均一化のための流れ構造
磁気ディスクユニットに関する上記公知技術▲３▼の構成を各ユニットに適用した場合においては、流路が入り組む分圧力損失が大きくなるので、冷却ファンを高圧にする必要が生じていた。
またＰＣＢユニットに関する上記公知技術▲５▼の構成を各ユニットに適用した場合においては、空きスペースへの冷却風をなくし全ての冷却風を有効に使用し、ユニット内実装物の搭載枚数・台数による発熱体の温度のばらつきを防止できる。しかしながら、冷却風全体の量は調整されないことから、全ての冷却風がシャッタが開き状態である電子部品設置スペースに集中し、このスペースが冷却過剰となる可能性があった。そしてこのような冷却過剰状態がたびたび生じると、トータル的な製品寿命が短くなる可能性があった。
さらに上記公知技術▲６▼の構成は、ユニット内の一部分、例えばＣＰＵユニット内のＣＰＵパッケージに専用ファンを設けるものであり、ＣＰＵパッケージの冷却向上や均一化を図ることはできても、ユニット全体の冷却向上・均一化等には配慮されていなかった。またこの専用ファンは動的機器であることから故障する可能性があり、この場合の対策について配慮されていなかった。
【００１１】
本発明の第１の目的は、少なくとも一部が二重に設けられいる論理系ユニットと、各論理系ユニットの前・後に設けられた冷却系ユニットとが、匡体内に挿抜可能に配置されている無停止型コンピュータにおいて、一部の冷却ファンに異常が発生しても停止の必要なく継続運転可能な構成を提供することである。
【００１２】
本発明の第２の目的は、少なくとも一部が二重に設けられいる論理系ユニットと、各論理系ユニットの前・後に設けられた冷却系ユニットとが、匡体内に挿抜可能に配置されている無停止型コンピュータにおいて、電源をＯＦＦにすることなく一部の冷却ファンを交換することができる構成を提供することである。
【００１３】
本発明の第３の目的は、少なくとも一部が二重に設けられいる論理系ユニットと、各論理系ユニットの前・後に設けられた冷却系ユニットとが、匡体内に挿抜可能に配置されている無停止型コンピュータにおいて、圧力損失の増大やファンの大出力化の必要を生じることなく、匡体内における十分な空冷効果の向上を得ることができる構成を提供することである。
【００１５】
【課題を解決するための手段】
上記第１の目的を達成するために、本発明によれば、演算を行うＣＰＵユニットを少なくとも１つ備えた第１の論理系ユニット部、データの読み込み・書き込みを行うハードディスクユニットを少なくとも１つ備えた第２の論理系ユニット部、及びデータのインプット・アウトプットを制御するＩＯユニットを少なくとも１つ備えた第３の論理系ユニット部を含む少なくとも３つの論理系ユニット部を有する論理系ユニット群と；少なくとも１つの冷却ファンユニットを備え、各論理系ユニット部の上流側及び下流側の少なくとも一方に設けられて各論理系ユニット部に対する冷却をそれぞれ行う冷却ファンユニット部を複数個有する冷却系ユニット群とが備えられ；前記少なくとも３つの論理系ユニット部のうち少なくとも１つは２個のユニットが設けられて二重化されており、前記論理系ユニット群及び前記冷却系ユニット群に属するすべてのユニットは匡体内に挿抜可能に配置されている無停止型コンピュータにおいて、前記冷却系ユニット群の複数個の冷却ファンユニット部のうち、少なくとも１つの冷却ファンユニット部は、該冷却ファンユニット部に属するユニットの個数が、その冷却対象である論理系ユニット部に属するユニットの個数よりも１個多く、前記第１の論理系ユニット部の冷却を行う第１の冷却ファンユニット部及び前記第２の論理系ユニット部の冷却を行う第２の冷却ファンユニット部を含んでおり、かつ前記第１の冷却ファンユニット部は前記第１の論理系ユニット部の下流側に設けられて該第１の論理系ユニットを通過する冷却風を吸引し、前記第２の冷却ファンユニット部は前記第２の論理系ユニット部の下流側に設けられて該第２の論理系ユニットを通過する冷却風を吸引し、前記冷却系ユニット群の冷却ファンユニット部に備えられたすべての冷却ファンユニットのうち、少なくとも２つのユニットは、形状・寸法・出力がすべて同一であって互いに配置位置を交換可能であるように構成されていることを特徴とする無停止型コンピュータが提供される。
また上記第１及び第２の目的を達成するために、本発明によれば、演算を行うＣＰＵユニットを少なくとも１つ備えた第１の論理系ユニット部、データの読み込み・書き込みを行うハードディスクユニットを少なくとも１つ備えた第２の論理系ユニット部、及びデータのインプット・アウトプットを制御するＩＯユニットを少なくとも１つ備えた第３の論理系ユニット部を含む少なくとも３つの論理系ユニット部を有する論理系ユニット群と；少なくとも１つの冷却ファンユニットを備え、各論理系ユニット部の上流側及び下流側の少なくとも一方に設けられて各論理系ユニット部に対する冷却をそれぞれ行う冷却ファンユニット部を複数個有する冷却系ユニット群とが備えられ；前記少なくとも３つの論理系ユニット部のうち少なくとも１つは２個のユニットが設けられて二重化されており、前記論理系ユニット群及び前記冷却系ユニット群に属するすべてのユニットは匡体内に挿抜可能に配置されている無停止型コンピュータにおいて、前記冷却系ユニット群の複数個の冷却ファンユニット部のうち、少なくとも１つの冷却ファンユニット部は、該冷却ファンユニット部に属するユニットの個数が、その冷却対象である論理系ユニット部に属するユニットの個数よりも１個多く、前記第１の論理系ユニット部の冷却を行う第１の冷却ファンユニット部及び前記第２の論理系ユニット部の冷却を行う第２の冷却ファンユニット部を含んでおり、かつ前記第１の冷却ファンユニット部は前記第１の論理系ユニット部の下流側に設けられて該第１の論理系ユニットを通過する冷却風を吸引し、前記第２の冷却ファンユニット部は前記第２の論理系ユニット部の下流側に設けられて該第２の論理系ユニットを通過する冷却風を吸引し、前記冷却系ユニット群の複数個の冷却ファンユニット部のうち、少なくとも１つの冷却ファンユニット部は、その冷却ファンユニット部に備えられたすべての冷却ファンユニットが、活線挿抜可能な構造となっていることを特徴とする無停止型コンピュータが提供される。
【００１６】
好ましくは、前記無停止型コンピュータにおいて、前記少なくとも１つの冷却ファンユニット部に属するユニットの個数をＮ＋１個、その冷却対象である論理系ユニット部に属するユニットの個数をＮ個、その冷却対象である論理系ユニット部全体の冷却に必要な冷却風量を１００％とするとき、前記少なくとも１つの冷却ファンユニット部に属するＮ＋１個の冷却ファンユニットのそれぞれの出力Ｗは、Ｗ≧１００／Ｎ［％］となっていることを特徴とする無停止型コンピュータが提供される。
【００１７】
また、好ましくは、前記無停止型コンピュータにおいて、冷却ファンユニットに異常が発生したことを検出する第１の検出手段と、その検出手段からの検出結果に基づき、異常が発生した冷却ファンユニットが属する冷却ファンユニット部の残りの冷却ファンユニットの回転数を制御する第１の制御手段とをさらに有することを特徴とする無停止型コンピュータが提供される。
【００１８】
さらに、好ましくは、前記無停止型コンピュータにおいて、冷却ファンユニットに停止を指示する停止指示手段と、この停止指示に応じて停止した冷却ファンユニットを検出する第２の検出手段と、停止した冷却ファンユニットが属する冷却ファンユニット部の残りの冷却ファンユニットの回転数を制御する第２の制御手段とをさらに有することを特徴とする無停止型コンピュータが提供される。
【００２１】
また、好ましくは、前記無停止型コンピュータにおいて、前記活線挿抜可能な構造となっている冷却ファンユニットのそれぞれは、該冷却ファンユニットへの通常時の給電を行う第１の給電回路と、この第１の給電回路と別に設けられた第２の給電回路と、該冷却ファンユニットの前記匡体への挿入時に前記第２の給電回路を開いて突入電流を少しずつ流すとともに、該突入電流をほぼ流し終えた後に前記第２の給電回路を閉じ前記第１の給電回路を開いて定常的な給電を行う電源受電回路とをさらに有することを特徴とする無停止型コンピュータが提供される。
【００２３】
また、好ましくは、前記無停止型コンピュータにおいて、前記少なくとも１つの冷却ファンユニット部は、各冷却ファンユニット部に属するいずれか１つの冷却ファンが抜かれたときにその収納されていた位置を密閉して冷却流の漏れを防止する漏れ防止手段をそれぞれ有することを特徴とする無停止型コンピュータが提供される。
【００２５】
また、好ましくは、前記無停止型コンピュータにおいて、前記冷却ファンユニット部は、該冷却ファンユニット部の外周部を構成するとともに冷却ファンユニットの個数と同数に区分されて冷却ファンを収納する枠体をさらに有し、前記漏れ防止手段は、前記枠体に設けられ、冷却ファンユニットの挿抜方向に伸縮自在のじゃばらであることを特徴とする無停止型コンピュータが提供される。
【００２６】
さらに、上記第１及び第３の目的を達成するために、好ましくは、前記無停止型コンピュータにおいて、前記筐体の正面における匡体高さ方向中央近傍で互いに上・下に分けて設けられた上側の第１の吸気口及び下側の第２の吸気口と；前記匡体の上面正面側、底面、上面背面側にそれぞれ設けられた第１の排気口、第２の排気口及び第３の排気口とをさらに有し；かつ、前記匡体内正面側における前記第１の吸気口の下方でなく前記第１の排気口の下方に位置する第１の領域、前記匡体内正面側における前記第２の吸気口の上方でなく前記第２の排気口の上方に位置する第２の領域、及び前記匡体内背面側における前記第３の排気口の下方に位置し仕切壁によって下端近傍以外を前記第１及び第２の領域と仕切られた第３の領域には、少なくとも１つの論理系ユニット部及びこの１つの論理系ユニット部を冷却する冷却ファンユニット部がそれぞれ配置されていることを特徴とする無停止型コンピュータが提供される。
【００３７】
【作用】
以上のように構成した本発明においては、冷却系ユニット群の複数個の冷却ファンユニット部のうち、少なくとも１つの冷却ファンユニット部は、冷却ファンユニット部に属するユニットの個数が、その冷却対象である論理系ユニット部に属するユニットの個数よりも１個多くなっていることにより、例えばＮ＋１個の冷却ファンユニットでＮ個の論理系ユニットを冷却している冷却ファンユニット部の場合に、冷却対象であるＮ個の論理系ユニットの冷却に必要な全体の冷却風量を１００％として、１個の冷却ファンユニットの出力が１００／Ｎ［％］以上となるように設定しておけば、Ｎ＋１個のうち１個の冷却ファンユニットの異常発生時・メンテナンスのための停止時でも、残りのＮ個の冷却ファンユニットからの冷却風でＮ個の論理系ユニットに必要な１００％風量を確保することができる。さらに、冷却系ユニット群の冷却ファンユニット部に備えられたすべての冷却ファンユニットのうち、少なくとも２つのユニットは、形状・寸法・出力がすべて同一であって互いに配置位置を交換可能であるように構成されていることにより、配置位置のローテーションを行って、特定の冷却ファンユニットに負荷が集中するのを防止して同一時間あたりの冷却ファンへの負荷が同等とすることができるので、冷却ファンの寿命を最大限に向上できる。また各冷却ファンユニットにおける負荷を変化させることができるので、冷却ファンの故障率の低下を図ることができる。さらに、少なくとも１つの冷却ファンユニット部は、第１の論理系ユニット部の冷却を行う第１の冷却ファンユニット部及び第２の論理系ユニット部の冷却を行う第２の冷却ファンユニット部を含んでおり、かつ第１の冷却ファンユニット部は第１の論理系ユニット部の下流側に設けられて第１の論理系ユニットを通過する冷却風を吸引し、第２の冷却ファンユニット部は第２の論理系ユニット部の下流側に設けられて第２の論理系ユニットを通過する冷却風を吸引する。ここで、一般に、冷却ファンユニット部を論理系ユニット部の上流側に設けられるいわゆるプッシュ型冷却とした場合、ある１つの冷却ファンユニットの異常発生時やメンテナンス時に交換のために匡体から抜いたとき、その抜けた部分が軽負荷領域となって他の冷却ファンユニットからの冷却風の回り込み・循環等が生じ、結果とし冷却風量の低下や不均一冷却が生じる場合がある。そこで、論理系ユニット群の中での特に重要性が高いＣＰＵ・ハードディスクのユニット部については、下流側に冷却ファンユニット部を設けるいわゆるプル型冷却とすることで冷却風量低下防止・均一冷却を特に確実に行うことができる。
また、本発明においては、冷却系ユニット群の複数個の冷却ファンユニット部のうち、少なくとも１つの冷却ファンユニット部は、その冷却ファンユニット部に備えられたすべての冷却ファンユニットが、活線挿抜可能な構造、例えば、冷却ファンユニットへの通常時の給電を行う第１の給電回路と、この第１の給電回路と別に設けられた第２の給電回路と、冷却ファンユニットの匡体への挿入時に第２の給電回路を開いて突入電流を少しずつ流すとともに、突入電流をほぼ流し終えた後に第２の給電回路を閉じ第１の給電回路を開いて定常的な給電を行う電源受電回路とを有することにより、仮に１つの冷却ファンユニットの異常発生時やメンテナンス時に、電源をＯＦＦにすることなく、他の冷却ファンユニットの運転を継続したまま、その冷却ファンユニットを交換することができる。
【００３８】
また、第１の検出手段で冷却ファンユニットに異常が発生したことを検出し、その検出手段からの検出結果に基づき、第１の制御手段で異常が発生した冷却ファンユニットが属する冷却ファンユニット部の残りの冷却ファンユニットの回転数を制御することにより、例えば、Ｎ＋１個の冷却ファンユニットでＮ個の論理系ユニットを冷却している冷却ファンユニット部の場合に、冷却対象であるＮ個の論理系ユニットの冷却に必要な全体の冷却風量を１００％として、通常回転数において１個の冷却ファンユニットの出力が余裕能力のない約１００／Ｎ＋１［％］と設定してあったとしても、Ｎ＋１個のうち１個の冷却ファンユニットに異常が発生した場合に残りのＮ個の冷却ファンユニットの回転数を（Ｎ＋１）／Ｎ倍に増加させることで、冷却風でＮ個の論理系ユニットに必要な１００％風量を確保することができる。すなわちこの場合は、第１の制御手段のない場合に比し、冷却ファンユニットの初期設定冷却能力を小さくすることができ、例えば定格出力の小さなファンを用いることができる。
また例えば、通常回転数において１個の冷却ファンユニットの出力が余裕能力のある１００／Ｎ［％］以上に設定してあったとしても、正常な冷却ファンユニットの回転数を必要に応じて上げ、冷却風量を増加させることが可能となるので、論理系ユニットへの必要冷却能力に対して余裕を持つことができ、第１の制御手段がない場合に比しさらに確実に冷却能力を維持できる。
【００３９】
さらに、停止手段で冷却ファンユニットに停止を指示し、この停止指示に応じて停止した冷却ファンユニットを第２の検出手段で検出し、停止した冷却ファンユニットが属する冷却ファンユニット部の残りの冷却ファンユニットの回転数を第２の制御手段で制御することにより、例えば、Ｎ＋１個の冷却ファンユニットでＮ個の論理系ユニットを冷却している冷却ファンユニット部の場合に、冷却対象であるＮ個の論理系ユニットの冷却に必要な全体の冷却風量を１００％として、通常回転数において１個の冷却ファンユニットの出力が余裕能力のない約１００／Ｎ＋１［％］と設定してあったとしても、Ｎ＋１個のうち１個の冷却ファンユニットをメンテナンスのために停止させた場合に残りのＮ個の冷却ファンユニットの回転数を（Ｎ＋１）／Ｎ倍に増加させることで、冷却風でＮ個の論理系ユニットに必要な１００％風量を確保することができる。すなわちこの場合は、第２の制御手段のない場合に比し、冷却ファンユニットの初期設定冷却能力を小さくすることができ、例えば定格出力の小さなファンを用いることができる。
また例えば、通常回転数において１個の冷却ファンユニットの出力が余裕能力のある１００／Ｎ［％］以上に設定してあったとしても、正常な冷却ファンユニットの回転数を必要に応じて上げ、冷却風量を増加させることが可能となるので、論理系ユニットへの必要冷却能力に対して余裕を持つことができ、第２の制御手段がない場合に比しさらに確実に冷却能力を維持できる。
【００４３】
また、少なくとも１つの冷却ファンユニット部は、各冷却ファンユニット部に属するいずれか１つの冷却ファンが抜かれたときにその収納されていた位置を密閉して冷却流の漏れを防止する漏れ防止手段、例えば、冷却ファンユニットの個数と同数に区分されて冷却ファンを収納する枠体に設けられ、冷却ファンユニットの収納時及び挿抜時には枠体に密着して回避するよう構成されたガイド板や、冷却ファンユニットの挿抜方向に伸縮自在のじゃばらを設けることにより、冷却ファンユニットの交換時に匡体から抜いたときに冷却風が漏れることを防止でき、冷却風が無駄になるのを防止して有効利用を図ることができる。
【００４４】
さらに、筐体の正面における匡体高さ方向中央近傍に上側の第１の吸気口及び下側の第２の吸気口を互いに上・下に分けて設け；匡体の上面正面側、底面、上面背面側にそれぞれ第１の排気口、第２の排気口及び第３の排気口を設け；かつ、匡体内正面側における第１の吸気口の下方でなく第１の排気口の下方に位置する第１の領域、匡体内正面側における第２の吸気口の上方でなく第２の排気口の上方に位置する第２の領域、及び匡体内背面側における第３の排気口の下方に位置し仕切壁によって下端近傍以外を第１及び第２の領域と仕切られた第３の領域に、少なくとも１つの論理系ユニット部及びこの１つの論理系ユニット部を冷却する冷却ファンユニット部をそれぞれ配置することにより、第１の吸気口から吸い込まれた冷却風は、匡体内正面側上方の第１の領域に配置された冷却ファンユニット及び論理系ユニットを上昇し、第１の排気口から排出される。一方第２の吸気口から吸い込まれた冷却風は、匡体内正面側下方の第２の領域に配置された冷却ファンユニット及び論理系ユニットを下降し、第２の排気口から排出される。したがって、上方の論理系ユニット及び下方の論理系ユニットともに、第１及び第２の吸気口から吸い込まれた直後の新鮮な冷却風が導かれ、また２つの冷却風は互いに上下方向に分配されて逆方向となっており干渉を起こすことがないので、十分な空冷効果を得ることができる。
【００５５】
【実施例】
以下、本発明の実施例を、図面を参照しつつ説明する。
本発明の第１の実施例を図１〜図１８により説明する。
図１は本実施例による無停止型コンピュータ１００の実装構成を表す外装部（後述）を取り外した状態での斜視概念図、図２は外装部のうち左側面板を取り外した状態での側面図、図３は図２中ＩＩ−ＩＩ線でみた矢視正面図、図４は図２中ＩＩＩ−ＩＩＩ線でみた矢視背面図である。
【００５６】
図１〜図２において、無停止型コンピュータ１００は、主として演算を行うＣＰＵユニット２ａ，２ｂと、１ユニット当たり６台のＤＣ／ＤＣコンバータ１８が実装されているＣＰＵ用ＤＣ／ＤＣユニット７ａ，７ｂと、１ユニット当たり６台のハードディスクドライブ（ＨＤＤ）２２と２台のＤＣ／ＤＣコンバータ１８が実装され、データの読み書きを行うハードディスクドライブユニット３ａ，３ｂと、データのインプット・アウトプットを制御するＩＯユニット５ａ，５ｂと、拡張ＩＯユニット（または回線ユニット）６ａ及び６ｂと、１ユニット当たり１台ずつのＡＣ／ＤＣコンバータ２３及びバッテリー２４が実装され、各ユニットに直流電力を供給するための交直流変換機能を備えた電源ユニット（パワーサプライ；ＰＳ）４ａ，４ｂと、これらのユニットから発生する熱をそれぞれ冷却する冷却ファンユニット９２ａ〜ｃ，９３ａ〜ｃ，９５ａ，９５ｂ，９６ａ，９６ｂと、１個のメインパネル２０、２個のサブパネル２１、２台のＤＡＴ（デジタルオーディオテープレコーダ）１９が実装された、キー操作を行うためのフロントパネル８ａ，８ｂ、匡体１内において上端が天板１４に下端が電源ユニット４ａ，４ｂに固定され匡体１内の正面側と背面側等を仕切る仕切板６５等が、筐体１内に実装物として収納されている。そしてすべてのユニットが挿抜可能に匡体１内に収納されており、特に、冷却ファンユニット９２ａ〜ｃ，９３ａ〜ｃ，９５ａ，９５，９６ａ，９６ｂは活線挿抜可能となっている。なお、電源ユニット４ａ，４ｂのバッテリー２４の長さは筐体１の背面付近まで長く伸びており（図４参照）、筐体１底部には発火物落下対策用の排気用の直径２ｍｍ程度のパンチングメタル（図示せず）が設けられている。。
【００５７】
匡体１は、外装部（外形寸法は高さ１８００ｍｍ、奥行き８００ｍｍ、幅６００ｍｍ程度）は、正面板２６、背面板２７、右側面板１５、左側面板１６、天板１４、及び底板６０からなる外装部に覆われており、また底部には移動のためのキャスタ１３が４箇所取り付けられている。天板１４内の正面側にはしゃ音用ガイド板１２が取り付けられている。
また、正面板２６及び背面板２７は空洞部を備えた厚みのある構造となっており、正面板２６においては、外側部分にある取り入れ口２６ａｏ，２６ｂｏを介して取り入れられた冷却風が空洞部内を通過して流れた後に内側部分にある導入口２６ａｉ，２６ｂｉから匡体１の吸入口１０ａ，１０ｂ（後述）へと導かれ、背面板２７においては、外側部分にある取り入れ口２７ｏを介して取り入れられた冷却風が空洞部内を通過して流れた後に内側部分にある導入口２７ｉから匡体１の吸入口１０ｃへ（後述）と導かれる。
【００５８】
冷却ファンユニット９２ａ〜ｃ，９３ａ〜ｃ，９５ａ，９５ｂ，９６ａ，９６ｂ以外の内蔵物、すなわちＣＰＵユニット２及びハードディスクドライブユニット３等はすべて２ユニットずつ二重に実装されている。そして冷却ファンユニット９２，９３，９５，９６は上記内蔵物に対してそれぞれ３ユニット設けられている。但し、これに限られず、内蔵物のユニット構成より少なくとも１ユニット多くなっていれば足りる。
また、各冷却ファンユニット９２ａ、９２ｂ、９２ｃには冷却ファン１７が１ないし２台実装されている。すなわち、ＣＰＵユニット２ａ，２ｂを冷却する冷却ファンユニット９２ａ〜ｃと、ハードディスクドライブユニットユニット３ａ，３ｂを冷却する冷却ファンユニット９３ａ〜ｃとでは２台実装され、ＩＯユニット５ａ，５ｂを冷却する冷却ファンユニット９５ａ〜ｃと、拡張ＩＯユニット６ａ，６ｂを冷却する冷却ファンユニット９６ａ〜ｃとでは１台実装されている。そして、冷却ファン１７が２台実装されている冷却ファンユニット９２ａ，９２ｂ，９２ｃ及び９３ａ，９３ｂ，９３ｃは互いに同一形状・同一寸法・同一出力となっており、同様に、冷却ファン１７が１台実装されている冷却ファンユニット９５ａ，９５ｂ，９５ｃ及び９６ａ，９６ｂ，９６ｃは互いに同一形状・同一寸法・同一出力となっている。
【００５９】
筐体１の正面側中央には２つの吸気口１０ａ，１０ｂが設けられており、また筐体１の背面側中央付近にも１つの吸気口１０ｃが設けられている。さらにフロントパネル８ａ，ｂの上には、吸気口１０ａからの冷却風を直径４ｍｍ程度の無数の小孔（＝パンチングメタル）の導風口６２ａを介して導入した後さらにＣＰＵユニット２ａ，２ｂへと導く導風ユニット６１ａが設けられ、フロントパネル８ａ，ｂの下には、吸気口１０ｂからの冷却風をパンチングメタルの導風口６２ｂを介して導入した後さらにハードディスクドライブユニット３ａ，３ｂへ導く導風ユニット６１ｂが設けられている。そしてこの導風ユニット６１ｂ内には冷却風を導く導風板１１が取り付けられている。なお、同様に導風ユニット６１ａ内にも導風板を取り付けてもよい。
また、吸気口１０ａ，１０ｂにはそれぞれエアフィルター５０が取り付けられており、これらエアフィルター５０と導風ユニット６１ａ，ｂの導風口６２ａ，ｂとは所定距離だけ離れている。
【００６０】
上記構成における匡体１内の冷却風の流れを以下に説明する。
正面板２６の取り入れ口２６ａｏから流入した冷却風４８ａは、正面板２６内部の空洞を介し導入口２６ａｉを通過した後、フロントパネル８ａ，８ｂの上部の吸気口１０ａのエアフィルター５０を通って筐体１に入る。その後冷却風４８ａは、二重のＣＰＵユニット２ａ，２ｂ、二重のＣＰＵ用ＤＣ／ＤＣユニット７ａ，７ｂを通過し、三重の冷却ファンユニット９２ａ，９２ｂ，９２ｃに入り、筐体１上部の排出口（図示せず）を介し天板１４の取り出し口（図示せず）から外気に流出する。
【００６１】
一方、正面板２６の取り入れ口２６ｂｏから流入した冷却風４８ｂは、正面板２６内部の空洞を介し導入口２６ｂｉを通過した後、フロントパネル８ａ，８ｂの下部の吸気口１０ｂのエアフィルター５０を通って筐体１に入る。その後冷却風４８ｂは、直列に二重に実装されたハードディスクドライブユニットユニット３ａ，３ｂを通過し、三重の冷却ファンユニット９３ａ，９３ｂ，９３ｃに入る。その後一部の冷却風４８ｂ１は、二重化されたＰＳユニット４ａ，４ｂを通過し、筐体１底部の排出口（図示せず）を介し底板６０の取り出し口（図示せず）から流出するが、その他の冷却風４８ｂ２は筐体１底部から流出せず、仕切板６５の下方から筐体１背面へと回り込んで背面側に実装された二重の拡張ＩＯユニット６ａ，６ｂに流入し、上昇する。このとき、背面板２７の取り入れ口２７ｏから流入した冷却風４８ｃが、背面板２７内部の空洞を介し導入口２７ｉを通過した後、吸気口１０ｃのエアフィルター５０を通って筐体１に入っており、これら冷却風４８ｂ２と冷却風４８ｃとは合流して冷却風４８ｄとなり、筐体１背面中央付近に実装された三重の冷却ファンユニット９５ａ，９５ｂ，９５ｃに流入する。そして冷却風４８ｄは、二重のＩＯユニット５ａ，５ｂを通過し、筐体１上部の排出口（図示せず）を介し天板１４の取り出し口（図示せず）から外気に流出する。
【００６２】
次に、ＣＰＵユニットの２ａ，２ｂの構造を説明する。
ＣＰＵユニット２ａの縦断面を図５に示す。図５において、ＣＰＵユニット２２は、コンピュータの心臓部で、計算処理を行うＣＰＵパッケージ（ＰＫ）２８と、データと計算結果を転送するオシュレータ（ＯＳＣ）パッケージ２９と、データを一定時間記憶するメモリパッケージ３０と、板金から構成されパッケージを実装固定する外壁３７ａ及び中間壁３７ｂとで構成されている。なおこのとき、ＣＰＵパッケージ２８、オシュレータパッケージ２９、メモリパッケージ３０は、両端位置が外壁３７ａや中間壁３７ｂに固定されるかほぼ達しているので、中間壁３７ｂとともに、外壁３７ａ内部を所定数のブロックに区分する隔壁の役割を果たしている。
【００６３】
ＣＰＵパッケージ２８には、片面にＣＰＵ  ＬＳＩ３２、両面にＩＣ３３が搭載されており、さらにＣＰＵ  ＬＳＩ３２には放熱フィン３１が搭載されている。ＯＳＣパッケージ２９には比較的形状・発熱量の大きなＩＣ３５、比較的形状・発熱量の小さなＩＣ３６が両面に実装されている。なおＩＣ３３を両面に実装することによりデータの転送時間の短縮が図られている。
メモリパッケージ３０には、形状・発熱量の同等なＩＣ３４が十数個搭載されたミドルパッケージ４９が数段にわたって搭載されている。
そして、外壁３７のうち冷却風４８ａと直角方向となる部分と隔壁３７ｂとには、冷却風４８ａの供給のために多数のスリット孔３８ａ及び３８ｂがそれぞれ設けられている。このとき、その個数や開口面積は、各ブロック内に発熱体をフル搭載したとき（すなわち図５のような搭載状態のとき）における各ブロック内発熱量に対応する風量を供給するように配慮されている。
【００６４】
ＩＣ３３はＣＰＵ  ＬＳＩ３２を囲むように実装されているため、ＣＰＵ  ＬＳＩ３２の下流側のＩＣ３３は通常の基板に平行に冷却風を流す方式では十分な冷却は非常に困難であると思われるが、本実施例では隔壁３７ｂのスリット孔３８ｂを比較的しぼっていることで、ＣＰＵパッケージ２８及びＯＳＣパッケージ２９内に高速かつ有効な冷却風を供給することができるので、下流側のＩＣ３３にも十分な冷却を行っている。
【００６５】
なお以上はＣＰＵユニット２ａを例にとって説明したが、ＣＰＵユニット２ｂもほぼ同様の構造である。
【００６６】
さらに次に、ハードディスクドライブユニット３ａ，３ｂの構造を説明する。図６はハードディスクドライブユニット３ａ，３ｂの縦断面図である。図６において、ハードディスクドライブユニット３ａ，３ｂは上下に２段実装されており、それぞれ、データ記録用のハードディスクドライブユニット２２が６台、ハードディスクドライブユニット電源供給用ＤＣ／ＤＣコンバータ１８が２台、板金で構成され内蔵物を固定するための外壁３９で構成されている。なおこのとき、ハードディスクドライブユニット２２は両端位置が外壁３９に固定されているので、外壁３９内部を所定数のブロックに区分する隔壁の役割を果たしている。
【００６７】
外壁３９のうち冷却風４８ｂと直角方向となる部分には、ハードディスクドライブユニット２２間の隙間及びＤＣ／ＤＣコンバータ１８間の隙間と同一の大きさのスリット孔４０が設けられており、これにより、ハードディスクドライブユニット２２、ＤＣ／ＤＣコンバータ１８への冷却風４８ｂは均一に分配され、温度分布も均一になっている。
【００６８】
さらに次に、ＩＯユニット５ａ，５ｂの構造を説明する。
図７はＩＯユニット５ａの横断面図である。図７において、ＩＯユニット５ａは、１３枚のＩＯパッケージ４２と、ＩＯパッケージ４２への電源供給用の１枚のＤＣ／ＤＣコンバータ４３と、板金からなりパッケージを固定する外壁４１とから成り立っている。またＩＯパッケージ４２には比較的形状の小さいＩＣ４４と、比較的形状の大きいＩＣ４５とが片面に実装されている。なおこのとき、ＩＯパッケージ４２は、両端位置が外壁４１に固定されるので、外壁４１内部を所定数のブロックに区分する隔壁の役割を果たしている。
【００６９】
外壁４１のうち冷却風４８ｄと直角方向となる上流側部分には、冷却風４８ｄの供給のための多数のスリット孔４６が設けられている。このとき、その個数や開口面積は、発熱体をフル搭載したとき（すなわち図７のような搭載状態のとき）における各ブロック内発熱量に対応する風量を供給するように配慮されている。これらスリット孔４６から流入してＩＯパッケージ４２、ＤＣ／ＤＣコンバータ４３に沿って流れた冷却風４８は外壁４１の上部に有る排気口４７から流出する。
【００７０】
なお、以上はＩＯユニット５ａを例にとって説明したが、ＩＯユニット５ｂについても構造はほぼ同様である。
【００７１】
次に、冷却ファンユニットの９２ａ〜ｃ，９３ａ〜ｃ，９５ａ，９５ｂ，９６ａ，９６ｂの構造に関し、活線挿抜を可能とする機能について説明する。
図８は、冷却ファンユニット９２ａにおける活線挿抜機構部分の概念図である。図８に示すように、冷却ファンユニット９２ａにおいて、コネクタ１１１の受ピンはすべて等長であり、コネクタ１１１からケーブル１１２ａ，１１２ｂ、さらにコネクタ１２４，１２５を介し、ユニット全体の制御を行う制御部８２ａに接続されている。
制御部８２ａには、電源受電回路１２１ａ，１２１ｂが設けられており、挿入時に通常動作時の本来の給電経路を開かず、別の回路で突入電流を少しずつ流し、ほぼ突入電流を流し終えた後に本来の給電回路を開いて制御部８２ａ全体に給電する。このうち電源受電回路１２１ａは、制御部８２ａ全体を制御する制御回路１２３用で５Ｖ電圧に対応しており、電源受電回路１２１ｂは、図示しないファンのモータ用である。また制御回路１２３は、機能の１つとして、冷却ファンユニット９２ａが抜き取り可能である状態のときに、コネクタ１２６及びケーブル１１４を介し、抜き取り許可表示用ＬＥＤを点灯させる。またレバー１１３は、テコの原理で冷却ファンユニット９２ａをガイドレール１３１（後述）間にスライドして移動させるためのものである。
なお、活線挿抜のために、コネクタ１１１、テーブル１１２ａ，１１ｂ、レバー１１３、抜き取り許可表示用ＬＥＤ１１５等を一体化させてある。
【００７２】
匡体１には、冷却ファンユニット９２ａ〜ｃの間をそれぞれ接続するための３つのコネクタ１３２、コネクタ１３２を実装するプリント基板１３３、冷却ファンユニット９２ａをスムーズに搭載／挿抜するためのガイドレール１３１が設けられている。
ガイドレール１３１は溝構造となっており、この溝を冷却ファンユニット９２ａの突起部材１１６がスライドする構造となっている。プリント基板１３３にはコネクタ１３２のほかに、図示しない電源や、各冷却ファンユニット９２ａ〜９２ｃを関連づけて制御するプロセッサ１０５（後述する図３参照）等の制御回路が搭載される。
コネクタ１３２は、グランドピン１３２ａ、電源ピン１３２ｂ、及び信号ピン１３２ｃを有し、ピン長がグランドピン１３２ａ、電源ピン１３２ｂ、信号ピン１３２ｃの順に短くなっている。これにより、コネクタ１３２の接続時にこの順に接続される。
【００７３】
以上は冷却ファンユニット９２ａについて説明したが、冷却ファンユニット９２ｂ，９２ｃについても構造はほぼ同様であり、前述したようにこれら３つはともに関連づけて制御されている。すなわち、各冷却ファンユニット９２ａ，９２ｂ，９２ｃを制御する制御回路８２ａ，８２ｂ，８２ｃが、図９に示すように、プロセッサ５に共通バスで接続される。なおこのプロセッサ１０５は冷却ファンユニット９２ａ〜ｃ外に設けられ冷却ファンユニット９２ａ〜ｃとはケーブルで接続されている構成でもよい。
【００７４】
また以上は、ＣＰＵユニット２ａ，２ｂを冷却する冷却ファンユニット９２ａ〜ｃについて説明したが、他の冷却ファンユニット９３ａ〜ｃ、９５ａ及び９５ｂ、９６ａ及び９６ｂについても同様の構造・機能を備えている。
【００７５】
さらに、冷却ファンユニットに限らず、他のユニット、すなわちＣＰＵユニット２ａ，２ｂやハードディスクドライブユニット３ａ，３ｂ等にもこのような構造を適用し活線挿抜構造としてもよい。
【００７６】
次に、上記のような活線挿抜機能にもとづき、冷却ファンユニットを抜いた場合の冷却風の漏れ防止機能について、冷却ファンユニット９２ａ〜ｃを例にとって図１０（ａ）〜（ｄ）により説明する。
図１０（ａ）において、冷却ファンユニット９２ａ〜ｃは、３つに区分され、図示右手前側の正面と、上面と、底面とが開口している外周枠体６３に収納されている。冷却ファンユニット９２ａ，９２ｃではさまれた冷却ファンユニット９２ｂを外周枠体６３から抜いた場合（図１０（ｂ））、まず、冷却ファンユニット９２ｂを抜いた部分の流路をふさぐように、風漏れ防止板５１ａ，５１ｂが倒れて来る（図１０（ｃ））。この場合、風漏れ防止板５１ａ，５１ｂは蝶つがい等で回転できるようになっている。そしてさらに、風漏れ防止板５１ａ，５１ｂには冷却風４８ａが図示手前に逃げ出すことを防止する風漏れ防止板５１ｃ，５１ｄが蝶つがい等で回転できる様に設置されている。この風漏れ防止板５１ｃ，５１ｄが冷却ファンユニット９２ａ，９２ｃではさまれた部分の手前側を覆うように起きあがる（図１０（ｄ））。なお通常時すなわち冷却ファンユニットが外周枠体６３に収納されているときは、挿抜時と同様、外周枠体６３に密着して回避している。
【００７７】
なお、以上は冷却ファンユニット９２ａ〜９２ｃについて示したが、他の冷却ファンユニット９３ａ〜ｃ，９５ａ，９５ｂ，９６ａ，９６ｂにおいてても同様の構造となっている。また、冷却ファンユニットに限られず、他のユニット、すなわちＣＰＵユニット２ａ，２ｂやハードディスクドライブユニット３ａ，３ｂ等をこのような構造としてもよい。
【００７８】
また、以上のような冷却ファンユニットの１つが故障等により停止した場合においては、無停止型コンピュータ１００に備えられた図示しない検出手段がこれを検出し、故障していない冷却ファンユニットの回転数を上昇させる動作を行う。これを冷却ファンユニット９２ａ〜ｃを例に取って、図１１により説明する。前述したように、冷却ファンユニット９２ａ〜ｃは、主としてＣＰＵユニット２ａ，２ｂを冷却するものである。このときに必要な冷却風量を１００％とすると、冷却ファンユニット９２ａ〜ｃはそれぞれ、定格電圧における通常回転数において１００／３≒３３％の風量を供給可能な性能を備えている。
【００７９】
ここで、図１１において、例えば冷却ファンユニット９２ａに異常が発生した（故障による停止等）場合には、個々の冷却ファンユニットの回転数を検知するアドレス番号に基づきどの実装位置のファンが停止したかを検出手段が把握し、この異常検出した冷却ファンと同じユニット部（すなわち９２ａ〜ｃ；９３ａ〜ｃ；９５ａ，ｂ；９６ａ，ｂでそれぞれ１ユニット部を構成する）に属する正常な冷却ファンユニット９２ｂ，９２ｃ（＝定格電圧にて稼動中）に信号を与え、正常な冷却ファンユニット９２ｂ，９２ｃへの供給電圧を増加させる。これにより、冷却ファンユニット９２ｂ，９２ｃのファン回転数を上昇させ、冷却に必要な冷却風量を確保する。
更に、異常が検出された冷却ファンユニット９２ａが正常なものに交換され、正常状態に戻ると、異常が検知された箇所のアドレスが形状な値に変わる。そして異常検出状態が解除され、交換された冷却ファンユニット９２ａが動作開始するとともに他の冷却ファンユニット９２ｂ，ｃの電圧が定格電圧に戻され、回転数はもとの回転数に減少し、正常動作状態に復帰する。
【００８０】
なお、上記は冷却ファンユニット９２ａに異常が発生した場合を例にとって説明したが、冷却ファンユニット９２ｂ若しくは９２ｃに異常が発生した場合も同様に他の冷却ファンユニットが回転数が増加される。また、他のユニット部、すなわち冷却ファンユニット９３ａ〜ｃ、冷却ファンユニット９５ａ，ｂ、冷却ファンユニット９６ａ，ｂのうち１つに異常が発生した場合も同様に、同じユニット部に属する他の冷却ファンユニットの回転数が増加される。
また、上記は異常事態発生時についての制御を説明したが、これに限られず、例えば、メンテナンスのために、無停止型コンピュータ１００に備えられた停止指示手段で１つの冷却ファンユニットを停止して取り替える場合にも適用できる。この場合、停止指示手段の指示で停止した冷却ファンユニットの停止状態を検出手段で検出してもよいし、あるいは停止指示自体を検出してもよい。
さらに、上記は、１つのユニット部（冷却ファンユニット９２ａ〜ｃ）で必要冷却性能（１００％）ちょうどを備え、１つが故障したときに残りの冷却ファンユニットをパワーアップして対応するものであったが、最初から１つの故障に対応して大きめのパワーを設定しておいてもよい。すなわち、上記の例で言えば、冷却ファンユニット９２ａ〜ｃのそれぞれは、定格出力の通常回転数においてそれぞれ５０％ずつの冷却性能を備えていてもよい。この場合も、１つに異常が発生しても残りの２つの冷却ファンユニットで１００％を確保できる。
【００８１】
以上において、本実施例の無停止型コンピュータ１００の作用効果を以下に説明する。
まず、冷却ファンユニット９２ａ〜ｃ（又は９３ａ〜ｃ；９５ａ，ｂ；９６ａ，ｂ）は、ユニットの個数が、その冷却対象であるユニットの個数よりも１個多くなっていることにより、例えば３個の冷却ファンユニット９２ａ〜ｃで２個のＣＰＵユニット２ａ，２ｂを冷却している場合において、１個の冷却ファンユニット９２ａに異常が発生した時でも、検出手段で冷却ファンユニットに異常が発生したことを検出し、これに基づき、残りの冷却ファンユニット９２ｂ，ｃの回転数を上昇させることにより、この冷却ファンユニット９２ｂ，ｃからの冷却風で必要な風量を確保することができる。
さらに、冷却ファンユニット９２ａ〜ｃ（又は９３ａ〜ｃ、９５ａ，ｂ、９６ａ，ｂ）は、形状・寸法・出力がすべて同一であって互いに配置位置を交換可能であるように構成されていることにより、配置位置のローテーションを行って、特定の冷却ファンユニットに負荷が集中するのを防止して同一時間あたりの冷却ファンへの負荷が同等とすることができるので、冷却ファンの寿命を最大限に向上できる。また各冷却ファンユニットにおける負荷を変化させることができるので、冷却ファンの故障率の低下を図ることができる。
また、すべての冷却ファンユニット９２ａ〜ｃ，９３ａ〜ｃ，９５ａ，９５，９６ａ，９６ｂが、冷却ファンユニットへの通常時の給電を行う回路と別に設けられた給電回路を備えており、電源受電回路１２１ａ，ｂ等によって、冷却ファンユニットの匡体１への挿入時にその別の給電回路を開いて突入電流を少しずつ流すとともに、突入電流をほぼ流し終えた後に別の給電回路を閉じ通常時の給電回路を開いて定常的な給電を行う。すなわち、これらすべては活線挿抜可能な構造となっていることにより、仮に１つの冷却ファンユニットの異常発生時やメンテナンス時に、電源をＯＦＦにすることなく、他の冷却ファンユニットの運転を継続したまま、その冷却ファンユニットを交換することができる。
さらに、冷却ファンユニット９２ａ〜ｃはＣＰＵユニット２ａ，２ｂの下流側に設けられてＣＰＵユニット２ａ，２ｂを通過する冷却風を吸引し、冷却ファンユニット９３ａ〜ｃはハードディスクドライブユニット３ａ，３ｂの下流側に設けられてハードディスクドライブユニット３ａ，３ｂを通過する冷却風を吸引する。ここで、一般に、冷却ファンユニット部を冷却対象の上流側に設けられるいわゆるプッシュ型冷却とした場合、ある１つの冷却ファンユニットの異常発生時やメンテナンス時に交換のために匡体１から抜いたとき、その抜けた部分が軽負荷領域となって他の冷却ファンユニットからの冷却風の回り込み・循環等が生じ、結果とし冷却風量の低下や不均一冷却が生じる場合がある。そこで、論理系ユニット群の中での特に重要性が高いＣＰＵユニット２ａ，２ｂやハードディスクドライブユニット５ａ，５ｂについて、下流側に冷却ファンユニット部を設けるいわゆるプル型冷却とすることで冷却風量低下防止・均一冷却を特に確実に行うことができる。
また、冷却ファンユニット９２ａ〜ｃ（又は９３ａ〜ｃ；９５ａ，ｂ；９６ａ，ｂ）は、いずれか１つの冷却ファンが抜かれたときにその収納されていた位置を密閉して冷却流の漏れを防止する風漏れ防止板５１ａ〜ｄが設けられることにより、冷却ファンユニットの交換時に匡体１から抜いたときに冷却風が漏れることを防止でき、冷却風が無駄になるのを防止して有効利用を図ることができる。
さらに、吸気口１０ａから吸い込まれた冷却風４８ａは、匡体１内正面側上方の冷却ファンユニット９２ａ〜ｃやＣＰＵユニット２ａ，ｂ及びＣＰＵ用ＤＣ／ＤＣユニット７ａ，７ｂを上昇し、匡体１上部の排気口から排出される。一方吸気口１０ｂから吸い込まれた冷却風４８ｂは、匡体１内正面側下方の冷却ファンユニット９３ａ〜ｃ及びハードディスクドライブユニット３ａ，ｂ並びに電源ユニット４ａ，４ｂを下降し、匡体１下部の排気口から冷却風４８ｂ１として排出される。したがって、上方のＣＰＵユニット２ａ，ｂやＣＰＵ用ＤＣ／ＤＣユニット７ａ，７ｂ、及び下方のハードディスクドライブユニット３ａ，ｂや電源ユニット４ａ，４ｂともに、吸気口１０ａ，ｂから吸い込まれた直後の新鮮な冷却風４８ａ，ｂが導かれ、また２つの冷却風４８ａ，ｂは互いに上下方向に分配されて逆方向となっており干渉を起こすことがないので、十分な空冷効果を得ることができる。
このとき、吸気口１０ｂから吸い込まれ下降した冷却風４８ｂの一部４８ｂ２は、仕切壁６１の下方からバイパスされて匡体１内の背面側に流入する。そして背面側配置された拡張ＩＯユニット６ａ，ｂ、冷却ファンユニット９５ａ，ｂ、及びＩＯユニット５ａ，ｂを上昇し、匡体１の上部排気口から排出されることになる。したがって、下向きの冷却風をすべて匡体１底面の排気口から排出する従来に比しその排気口からの風量を少なくすることができるので、床面への落下物防止用のハニカム等が排気口近傍に設けられても圧力損失がほとんどなく、よってファンの大出力化の必要もない。また、ＣＰＵユニット２ａ，２ｂへの冷却風４８ａとハードディスクユニット３ａ，３ｂへの冷却風の経路を、吸気口から排気口まで完全に分離することができる。さらに、吸気口・排気口等が両サイドにないので、計算速度・処理能力を向上させるために、筐体１を増設する際に本装置の両サイドに配置することが可能であり、実装スペースの向上を図ることができる。
【００８２】
さらに、吸気口１０ｂからの冷却風４８ｂの一部４８ｂ２が背面側にバイパスされて上昇するのに、吸気口１０ｃからの冷却風が合流して冷却風４８ｄとなるので、背面側における空冷効果をさらに向上させることができる。
また、正面板２６の取り入れ口２６ａｏ，ｂｏから取り入れられた冷却風４８ａ，ｂは正面板２６の外側部分と内側部分との間の中空形状（空洞）を通った後、導入口２６ａｉ，ｂｉを介し吸入口１０ａ，ｂへと導かれる。また背面板２７の取り入れ口２７ｏから取り入れられた冷却風４８ｃは背面板２７の外側部分と内側部分との間の中空形状（空洞）を通った後、導入口２７ｉを介し吸入口１０ｃへと導かれる。よって冷却風４８ａ，ｂ，ｃの騒音がいずれも空洞で吸収されるので、コンピュータの低騒音化を図ることができる。
さらに、導風ユニット６１ａ，ｂの正面側に、吸気口１０ａ，ｂから略水平方向に所定距離をおいて導風口６２ａ，ｂが設けられることにより、エアフィルター５０がパンチングメタルから離れて設けられることとなるので、エアフィルター５０を通過する冷却風４８ａ，ｂの風速が減少し、その分エアフィルター５０での圧力損失を低減することができる。
また、導風板１１が導風ユニット６１ｂ内に設けられ、吸気口１０ｂから略水平方向に吸い込まれた冷却風４８ｂを下方へ誘導することにより、冷却風４８ｂの向きを強制的に下方へ向けることができ、冷却風がハードディスクドライブユニットユニット３ａ，３ｂの正面側を流れるようになる。よって、ハードディスクドライブユニットユニット３ａ，３ｂの内蔵物のある筐体１表面側に冷却風を通すことができ、ハードディスクドライブユニット３ａ，３ｂにほぼ同等に冷却風４８ｂを供給できるので、上下２段のハードディスクドライブユニットユニット３ａ，３ｂの温度分布を均一にすることができる。
【００８３】
さらに、天板１４の中空形状内の正面側にしゃ音用ガイド板１２を設けることにより、吸気口１０ａから吸い込まれ上昇してきた冷却風４８ａによる音が正面側に漏れるのを遮断し、オペレータへの騒音を低減することができる。
また、天板１４の高さはコンピュータが設置される床面から１８００ｍｍ以上となるように構成されていることにより、書類等の物体を天板１４上に置きにくくして、取り出し口を介した冷却風４８ｄの排出が阻害されるのを防止することができる。さらに、匡体高さ中央付近（床面から９００ｍｍ付近）に正面側から操作可能な操作用フロントパネル８ａ，８ｂとを設けることにより、すべてのオペレータに対してキー操作を容易にすることができる。
さらに、ＣＰＵユニット２ａ，２ｂ（又はＩＯユニット５ａ，５ｂ等）の外壁３７ａ及び隔壁３７ｂのうち、冷却風４８ａの流れ方向と略直角方向に設けられた部分には、複数個のスリット４８ａが開口されていることにより、ユニット内の各ブロックに配置されたパッケージ等に速度の速い冷却風を供給できるので、発熱体の熱伝達率を上昇させて発熱体の温度を効率よく減少することができる。よってユニット内全体の冷却向上を図ることができる。そしてこのとき、スリット４８ａが開口されるだけで流路が入り組むことがないので圧力損失が上昇することはなく、またスリット４８ａの開口位置及び大きさ等は、供給風量が各ブロック内に配置された発熱体の発熱量に対応するように配慮されるので、ブロック内部のパッケージ等の搭載状態に関係なく、ユニット内各所における冷却風供給量が常に一定となり、また均一冷却となる。よって、開閉シャッターを用いる場合のように一部の部品に冷却過剰が生じることがない。このことを図１２〜図１８により説明する。
【００８４】
図１２はＣＰＵユニット２ａ，２ｂにおいて、ＣＰＵパッケージ２８の搭載枚数が１枚（最小搭載枚数）となっている時の縦断面図であり、図１３はメモリパッケージ３０が１枚（最小搭載枚数）の時の縦断面図であり、図１４はＣＰＵパッケージ２８、メモリパッケージ３０ともに１枚の時の縦断面図である。このように、ＣＰＵパッケージ２８やメモリパッケージ３０の搭載枚数に関係なく、外壁３７ａ及び隔壁３７ｂのスリット孔３８ａ，ｂのしぼりのみによって各ブロック内の風量が決定されるので、各ブロック内の風量を同一として均一温度とすることができる。
また同様に、図１５はハードディスクドライブユニット３ａ，３ｂにおいて、下段のハードディスクドライブユニット３ｂのハードディスクドライブ２２が１台（最小構成）の時の縦断面図であり、図１６は上段のハードディスクドライブユニット３ａのハードディスクドライブ２２が１台（最小構成）の時の縦断面図であり、図１７は上段・下段のハードディスクドライブユニット３ａ，３ｂがともにハードディスクドライブ２２搭載枚数が１台（最小構成）の時の縦断面図である。このように、ハードディスクドライブ２２の搭載枚数に関係なく、外壁３９のスリット孔４０のしぼりのみによって各ブロック内の風量が決定されるので、各ブロック内の風量を同一とし均一温度とすることができる。
さらに同様に、図１８はＩＯユニット５ａにおいて、ＩＯパッケージ４２が１枚（最小搭載）の時の断面図である。このように、ＩＣ４４やＩＣ４５の搭載枚数に関係なく、外壁４１のスリット孔４６のしぼりのみによって各ブロック内の風量が決定されるので、各ブロック内の風量を同一として均一温度とすることができる。
【００８５】
本発明の第２の実施例を図１９〜図２１により説明する。第１の実施例と同等の部材には同一の符号を付す。
本実施例による無停止型コンピュータ２００が第１の実施例の無停止型コンピュータ１００と異なる主要な点の１つは、ＣＰＵユニット２ａ，２ｂを冷却する冷却ファンユニット９２ａ〜ｃがＣＰＵユニット２ａ，２ｂより上流側に設けられるとともに、ハードディスクドライブユニット３ａ，３ｂを冷却する冷却ファンユニット９３ａ〜ｃがハードディスクドライブユニット３ａ，３ｂより上流側に設けられており、どちらともいわゆるプッシュ型の冷却方式となっている。そして逆に、ＩＯユニット５ａ，５ｂを冷却する冷却ファンユニット９５ａ，ｂ、及び拡張ＩＯユニット６ａ，６ｂを冷却する冷却ファンユニット９６ａ，ｂは、いわゆるプル型の冷却方式となっている。このような無停止型コンピュータ２００の実装構成を表す外装部を取り外した状態での斜視概念図を図１９に示す。
【００８６】
また、無停止型コンピュータ２００が第１の実施例の無停止型コンピュータ１００と異なる主要な点のもう１つは、冷却ファンユニットを抜いた場合の冷却風の漏れ防止機能に係る構成である。これを図２０及び図２１により説明する。
図２０（ａ）（ｂ）は第１の実施例の図１０（ａ）〜（ｄ）に相当する図である。この図２０において、冷却ファンユニット９２ａ〜ｃは、３つに区分され、図示右手前側の正面と、上面と、底面とが開口している外周枠体６３に収納されている。正常の実装時、外周枠体６３内の奥部に挿入配置された伸縮じゃばら５２ａ〜ｃが、冷却ファンユニット９ａ，９ｂ，９ｃによって押圧されて奥部にたたまれており、冷却風の漏れを防止している。ここでたとえば、冷却ファンユニット９２ａ，９２ｃではさまれた冷却ファンユニット９２ｂをメンテナンス等ために外周枠体６３から抜いた場合、伸縮じゃばら５２ｂが冷却ファンユニット９２ｂを抜いた分だけ、冷却ファンユニット９２ｂを抜いた側に伸びる。このようにすることにより、冷却ファンユニットを抜いた場合の風漏れをほとんどなくすことができる。このときの挙動を図２０中Ａ−Ａ線断面でみた断面図を図２１に示す。
【００８７】
本実施例によっても、プル型冷却に関するものを除き、第１の実施例と同様の効果を得ることができる。
【００８８】
なお、上記第１及び第２の実施例においては、各ユニットを冷却する冷却ファンユニットは、冷却対象のユニットの上流側か下流側のどちらか一方であったが、これに限られず、冷却ファンユニットを追加して上流側・下流側の両方に設けてもよく、この場合、実装物が構成するユニットの冷却を十分に行うことができる。また、冷却ファンユニットに備えられる冷却用のファンを、通常のファンより寿命が長い長寿命冷却ファンにすることにより、冷却ファンが故障するまでの時間が長くでき、コンピュータの無停止性が向上することができる。
【００８９】
【発明の効果】
本発明によれば、少なくとも１つの冷却ファンユニット部は、ユニットの個数が、その冷却対象である論理系ユニット部に属するユニットの個数よりも１個多くなっているので、冷却ファンユニットの異常発生時・メンテナンスのための停止時でも、残りの冷却ファンユニットからの冷却風で論理系ユニットに必要な１００％風量を確保することができる。したがって、コンピュータを停止させることなくそのまま継続して運転が可能である。また、少なくとも１つの冷却ファンユニット部は、その冷却ファンユニット部に備えられたすべての冷却ファンユニットが、活線挿抜可能な構造となっているので、仮に１つの冷却ファンユニットの異常発生時やメンテナンス時に、電源をＯＦＦにすることなく、他の冷却ファンユニットの運転を継続したまま、その冷却ファンユニットを交換することができる。すなわち、冷却ファンユニット交換時にコンピュータを停止させる必要がない。さらに、第１の吸気口から吸い込まれた冷却風は、匡体内正面側略上方の第１の領域に配置された冷却ファンユニット及び論理系ユニットを上昇して第１の排気口から排出され、第２の吸気口から吸い込まれた冷却風は、匡体内正面側略下方の第２の領域に配置された冷却ファンユニット及び論理系ユニットを下降して第２の排気口から排出されるので、上方の論理系ユニット及び下方の論理系ユニットともに、十分な空冷効果を得ることができる。そして、第２の吸気口から吸い込まれ第２の領域を下降した冷却風の一部は、仕切壁の下方からバイパスされて第３の領域の下部に流入し、冷却ファンユニット及び論理系ユニットを上昇して第３の排気口から排出されるので、床面への落下物防止用のハニカム等が第２の排気口近傍に設けられても圧力損失がほとんどなく、よってファンの大出力化の必要もない。すなわち、圧力損失・ファンの大出力化の必要なく、十分な空冷効果を得ることができる。
【図面の簡単な説明】
【図１】本発明の第１の実施例である実施例による無停止型コンピュータの実装構成を表す外装部を取り外した状態での斜視概念図である。
【図２】図１に示した無停止型コンピュータの外装部のうち左側面板を取り外した状態での側面図である。
【図３】図２中ＩＩＩ−ＩＩＩ線でみた矢視正面図である。
【図４】図２中ＩＶ−ＩＶ線でみた矢視背面図である。
【図５】図１に示したＣＰＵユニットの縦断面である。
【図６】図１に示したハードディスクドライブユニットの縦断面である。
【図７】図１に示したＩＯユニットの縦断面である。
【図８】図１に示した冷却ファンユニットにおける活線挿抜機構部分の概念図である。
【図９】図８に示した制御回路どうしの接続を示す概念図である。
【図１０】図１に示した冷却ファンユニットにおける冷却ファンユニットを抜いた場合の冷却風の漏れ防止機能を説明するための斜視図である。
【図１１】冷却ファンユニットの１つが故障等により停止した場合における、無停止型コンピュータの動作を示すフローチャートである。
【図１２】図５に示したＣＰＵユニットにおける作用効果を説明するための縦断面図である。
【図１３】図５に示したＣＰＵユニットにおける作用効果を説明するための縦断面図である。
【図１４】図５に示したＣＰＵユニットにおける作用効果を説明するための縦断面図である。
【図１５】図６に示したハードディスクドライブユニットにおける作用効果を説明するための縦断面図である。
【図１６】図６に示したハードディスクドライブユニットにおける作用効果を説明するための縦断面図である。
【図１７】図６に示したハードディスクドライブユニットにおける作用効果を説明するための縦断面図である。
【図１８】図７に示したＩＯユニットにおける作用効果を説明するための縦断面図である。
【図１９】本発明の第２の実施例である実施例による無停止型コンピュータの実装構成を表す外装部を取り外した状態での斜視概念図である。
【図２０】図１９に示した冷却ファンユニットにおける冷却ファンユニットを抜いた場合の冷却風の漏れ防止機能を説明するための斜視図である。
【図２１】図１９に示した冷却ファンユニットにおける冷却ファンユニットを抜いた場合の冷却風の漏れ防止機能を説明するための側断面図である。
【符号の説明】
１                            筐体
２，２ａ，２ｂ          ＣＰＵユニット
３ａ，ｂ                  ハードディスクドライブユニットユニット
４ａ，ｂ                  電源ユニット
５ａ，ｂ                  ＩＯユニット
６ａ，ｂ                  拡張ＩＯユニット
７ａ，ｂ                  ＣＰＵ用ＤＣ／ＤＣユニット
８ａ，ｂ                  フロントパネル
１０ａ〜ｃ                吸気口
１１                        導風板
１２                          しゃ音用ガイド板
１３                              キャスタ
１４                              天板
１５                              左側面板
１６                              右側面板
１７                              冷却ファン
１８                              ＤＣ／ＤＣコンバータ
１９                              ＤＡＴ
２０                              メインパネル
２１                              サブパネル
２２                              ハードディスクドライブ
２３                              ＡＣ／ＤＣコンバータ
２４                              バッテリー
２６                              正面板
２６ａｉ，ｂｉ        導入口
２６ａｏ，ｂｏ              取り入れ口
２７                              背面板
２７ｉ                導入口
２７ｏ                            取り入れ口
２８                              ＣＰＵパッケージ
２９                              ＯＳＣパッケージ
３０                              メモリパッケージ
３１                              放熱フィン
３２                              ＣＰＵ  ＬＳＩ
３３                              ＩＣ
３４                              ＩＣ
３５                              ＩＣ
３６                              ＩＣ
３７ａ              外壁
３７ｂ                      隔壁
３８ａ，ｂ            スリット孔
３９                        外壁
４０                        スリット孔
４１                      外壁
４２                        ＩＯパッケージ
４３                        ＤＣ／ＤＣコンバータ
４４                        ＩＣ
４５                        ＩＣ
４６                      スリット孔
４７                        排気口
４８ａ，ｂ，ｃ，ｄ  冷却風
４８ｂ１，ｂ２              冷却風
４９                        ミドルパッケージ
５０                        エアフィルター
５１ａ〜ｄ                風漏れ防止板
５２ａ〜ｃ            伸縮じゃばら
６５                仕切板
９２ａ〜ｃ                  冷却ファンユニット
９３ａ，ｂ                  冷却ファンユニット
９５ａ，ｂ                  冷却ファンユニット
９６ａ〜ｃ                冷却ファンユニット
１００              無停止型モータ
１２１ａ            電源受電回路
１２１ｂ            電源受電回路
２００                          無停止型モータ
【図１】
0003599822.tif 000002
【図２】
0003599822.tif 000003
【図３】
0003599822.tif 000004
【図４】
0003599822.tif 000005
【図５】
0003599822.tif 000006
【図６】
0003599822.tif 000007
【図７】
0003599822.tif 000008
【図８】
0003599822.tif 000009
【図９】
0003599822.tif 000010
【図１０】
0003599822.tif 000011
【図１１】
0003599822.tif 000012
【図１２】
0003599822.tif 000013
【図１３】
0003599822.tif 000014
【図１４】
0003599822.tif 000015
【図１５】
0003599822.tif 000016
【図１６】
0003599822.tif 000017
【図１７】
0003599822.tif 000018
【図１８】
0003599822.tif 000019
【図１９】
0003599822.tif 000020
【図２０】
0003599822.tif 000021
【図２１】
0003599822.tif 000022